(57)【要約】【課題】機密情報を含む印刷物が未回収のまま晒されることを防止するため、機密情報を含む印刷物が印刷物回収機で回収されるように連続用紙印刷装置を制御する印刷制御装置、連続用紙印刷システム及び印刷制御プログラムを提供する。【解決手段】印刷制御装置１４は、印刷データを入力するデータ入力部３３と、前記データ入力部３３により入力された印刷データの印刷ジョブが機密情報を含む守秘ジョブか、機密情報を含まない通常ジョブかを判断するイメージデータ管理部３６と、前記イメージデータ管理部３６により前記印刷ジョブが守秘ジョブと判断された場合、前記入力された印刷データに基づいて印刷物が印刷物回収機で回収されるように印刷装置１３を制御するジョブ管理部３２とを備える。【選択図】図２
2008114489.tif 000002
【特許請求の範囲】
【請求項１】
印刷データを入力する入力手段と、
前記入力手段により入力された印刷データの印刷ジョブが機密情報を含む守秘ジョブか、機密情報を含まない通常ジョブかを判断する判断手段と、
前記判断手段により前記印刷ジョブが守秘ジョブと判断された場合、前記入力された印刷データに基づいて印刷物が印刷物回収機で回収されるように連続用紙印刷装置を制御する制御手段と、
を備えた印刷制御装置。
【請求項２】
前記制御手段は、前記守秘ジョブを実行する前に、前記連続用紙印刷装置の用紙、トナー及びドラムのうちの少なくとも１つの消耗品の使用量及び残量を算出し、前記使用量及び前記残量に基づき、前記印刷データが印刷可能な場合には前記連続用紙印刷装置に印刷させ、前記印刷データが印刷不可能な場合には前記連続用紙印刷装置に印刷させないように制御する請求項１記載の印刷制御装置。
【請求項３】
使用者に情報を報知する報知手段を更に備え、
前記制御手段は、前記印刷データが印刷不可能な場合には、印刷可能な部分までを前記連続用紙印刷装置に印刷させ、
前記報知手段は、残りの部分の情報を使用者に報知する請求項２記載の印刷制御装置。
【請求項４】
前記制御手段は、前記守秘ジョブが複数存在する場合、前記使用量及び前記残量から前記複数の守秘ジョブのうち印刷可能なジョブを選択し、選択したジョブに対応する印刷データに基づいて印刷するように前記連続用紙印刷装置を制御する請求項２記載の印刷制御装置。
【請求項５】
前記制御手段は、前記守秘ジョブ、及び前記守秘ジョブの印刷物が前記印刷物回収機で回収されるために必要な量の前記通常ジョブが存在する場合、前記守秘ジョブの実行後に前記通常ジョブを実行し、前記守秘ジョブの印刷物が前記印刷物回収機で回収されるように前記連続用紙印刷装置を制御する請求項１から請求項４の何れか１項記載の印刷制御装置。
【請求項６】
前記制御手段は、前記守秘ジョブの印刷物が前記印刷物回収機で回収されるために必要な量の前記通常ジョブが存在しない場合、前記守秘ジョブに白紙データを付加して前記守秘ジョブを実行し、前記守秘ジョブの印刷物が前記印刷物回収機で回収されるように前記連続用紙印刷装置を制御する請求項５記載の印刷制御装置。
【請求項７】
請求項１から請求項６の何れか１項記載の印刷制御装置と、
前記印刷制御装置からの印刷データに基づいて連続用紙に印刷する連続用紙印刷装置と、
を備えた連続用紙印刷システム。
【請求項８】
コンピュータを、
印刷データを入力する入力手段、
前記入力手段により入力された印刷データの印刷ジョブが機密情報を含む守秘ジョブか、機密情報を含まない通常ジョブかを判断する判断手段、及び、
前記判断手段により前記印刷ジョブが守秘ジョブと判断された場合、前記入力された印刷データに基づいて印刷物が印刷物回収機で回収されるように連続用紙印刷装置を制御する制御手段と、
として機能させるための印刷制御プログラム。
【発明の詳細な説明】
【技術分野】
【０００１】
本発明は、連続用紙の印刷を制御する印刷制御装置、連続用紙印刷システム及び印刷制御プログラムに関する。
【背景技術】
【０００２】
連続用紙の印刷装置には、連続用紙カラープリンタのように複数の画像ステーションで多重転写し、最下流で定着処理を施してから用紙搬送を完結するタイプの装置や、複数の装置を直列に接続して運用し、最下流の装置が印刷動作を終了してから用紙搬送動作を停止させるタイプの装置がある。このようなタイプの装置では、用紙パスが長いことから印刷停止後の再開位置を次ページの用紙に合わせるためのバックフィード動作は実質不可能である。
【０００３】
このようなバックフィード動作をしないタイプの装置では、ページ間で用紙搬送の動作が停止すると、用紙パスが長い分、大量の無駄紙が発生するという問題ある。また、物理的な用紙切れ、トナー切れやドラム寿命など消耗品の残量切れの状況が、印刷中に発生した場合は、印刷を途中で停止せざるを得ない。
【０００４】
しかしながら、連続用紙カラープリンタは、顧客情報などの機密情報を含む印刷ジョブを大量に印刷することが多い。そのため、ジョブの途中で印刷が停止した結果として、オペレータが印字の確認や用紙のセットなどをする間は、印刷結果は無防備な状態でさらされることとなる。このため、機密情報を含む守秘ジョブに対する、より高度な機密保持の機構が必要とされている。
【０００５】
このように、連続用紙プリンタ、とりわけ印刷動作を停止する度に印刷を再開するまでに大量の無駄紙が発生する装置では、印刷動作を開始したら極力印刷を停止しないように運用する必要があると同時に、守秘ジョブを途中で停止せずに一気に印刷して、オペレータにも印刷結果の情報をさらさない工夫が必要となる。
【０００６】
更に、連続用紙プリンタは、守秘ジョブが複数存在する場合に、１ジョブずつ流していたのでは、前述のように無駄紙を大量に排出する。その結果、用紙切れ等の頻度が高くなり、用紙の架け替えが頻繁に発生して生産性が低下することにもなる。このような無駄紙を出さない工夫も必要となる。
【０００７】
印刷動作を途中で停止させないための手法として、印刷ジョブが間欠的に送られてくる場合、印刷ジョブを用紙に転写した後の印刷停止時に、白紙を挿入する連続紙印刷装置（例えば、特許文献１参照。）が知られている。また、連続用紙の残量とセンタからの印刷ジョブの容量とを比較して、印刷ジョブの出力順序を制御することにより、一度のジョブ依頼により用紙切れのないリストを出力するラインプリンタ制御方法（例えば、特許文献２参照。）が知られている。
【特許文献１】特開２００４−１８４９２２号公報
【特許文献２】特開平４−４１２８３号公報
【発明の開示】
【発明が解決しようとする課題】
【０００８】
しかしながら、特許文献１の連続紙印刷装置は、印刷ジョブを用紙に転写した後に印刷動作を停止させないために白紙を挿入するために大量の無駄紙が発生するという問題点がある。また、特許文献２のラインプリンタ制御方法は、用紙切れによる印刷ジョブの途中停止を防止することはできるが、用紙以外の消耗品、例えば、トナー残量やドラム寿命が尽きた場合の印刷ジョブの途中停止には対処できないという問題点がある。
【０００９】
本発明は、上記問題点を解決するために成されたものであり、機密情報を含む印刷物が未回収のまま晒されることを防止するため、機密情報を含む印刷物が印刷物回収機で回収されるように連続用紙印刷装置を制御する印刷制御装置、連続用紙印刷システム及び印刷制御プログラムを提供することを目的とする。
【課題を解決するための手段】
【００１０】
上記目的を解決するために、請求項１記載の印刷制御装置は、印刷データを入力する入力手段と、前記入力手段により入力された印刷データの印刷ジョブが機密情報を含む守秘ジョブか、機密情報を含まない通常ジョブかを判断する判断手段と、前記判断手段により前記印刷ジョブが守秘ジョブと判断された場合、前記入力された印刷データに基づいて印刷物が印刷物回収機で回収されるように連続用紙印刷装置を制御する制御手段と、を備えている。
【００１１】
請求項２記載の印刷制御装置は、請求項１記載の印刷制御装置において、前記制御手段は、前記守秘ジョブを実行する前に、前記連続用紙印刷装置の用紙、トナー及びドラムのうちの少なくとも１つの消耗品の使用量及び残量を算出し、前記使用量及び前記残量に基づき、前記印刷データが印刷可能な場合には前記連続用紙印刷装置に印刷させ、前記印刷データが印刷不可能な場合には前記連続用紙印刷装置に印刷させないように制御することを特徴とする。
【００１２】
請求項３記載の印刷制御装置は、請求項２記載の印刷制御装置において、使用者に情報を報知する報知手段を更に備え、前記制御手段は、前記印刷データが印刷不可能な場合には、印刷可能な部分までを前記連続用紙印刷装置に印刷させ、前記報知手段は、残りの部分の情報を使用者に報知することを特徴とする。
【００１３】
請求項４記載の印刷制御装置は、請求項２記載の印刷制御装置において、前記制御手段は、前記守秘ジョブが複数存在する場合、前記使用量及び前記残量から前記複数の守秘ジョブのうち印刷可能なジョブを選択し、選択したジョブに対応する印刷データに基づいて印刷するように前記連続用紙印刷装置を制御することを特徴とする。
【００１４】
請求項５記載の印刷制御装置は、請求項１から請求項４の何れか１項記載の印刷制御装置において、前記制御手段は、前記守秘ジョブ、及び前記守秘ジョブの印刷物が前記印刷物回収機で回収されるために必要な量の前記通常ジョブが存在する場合、前記守秘ジョブの実行後に前記通常ジョブを実行し、前記守秘ジョブの印刷物が前記印刷物回収機で回収されるように前記連続用紙印刷装置を制御することを特徴とする。
【００１５】
請求項６記載の印刷制御装置は、請求項５記載の印刷制御装置において、  前記制御手段は、前記守秘ジョブの印刷物が前記印刷物回収機で回収されるために必要な量の前記通常ジョブが存在しない場合、前記守秘ジョブに白紙データを付加して前記守秘ジョブを実行し、前記守秘ジョブの印刷物が前記印刷物回収機で回収されるように前記連続用紙印刷装置を制御することを特徴とする。
【００１６】
請求項７記載の連続用紙印刷システムは、請求項１から請求項６の何れか１項記載の印刷制御装置と、前記印刷制御装置からの印刷データに基づいて連続用紙に印刷する連続用紙印刷装置と、を備えている。
【００１７】
請求項８記載の印刷制御プログラムは、コンピュータを、印刷データを入力する入力手段、前記入力手段により入力された印刷データの印刷ジョブが機密情報を含む守秘ジョブか、機密情報を含まない通常ジョブかを判断する判断手段、及び、前記判断手段により前記印刷ジョブが守秘ジョブと判断された場合、前記入力された印刷データに基づいて印刷物が印刷物回収機で回収されるように連続用紙印刷装置を制御する制御手段と、として機能させる。
【発明の効果】
【００１８】
請求項１記載の発明によれば、機密情報を含む印刷物が未回収の状態で晒されることなく、機密情報の漏洩を防止できるという効果が得られる。
【００１９】
請求項２記載の発明によれば、連続用紙印刷装置の消耗品の残量切れによって機密情報を含む印刷物が未回収の状態になることを防止できるという効果が得られる。
【００２０】
請求項３記載の発明によれば、連続用紙印刷装置の消耗品の残量が不十分な場合でも、機密情報を含む印刷データを印刷可能な部分までの印刷物を未回収の状態となることを防止きるという効果が得られる。
【００２１】
請求項４記載の発明によれば、複数の守秘ジョブから選択した印刷可能なジョブの印刷物を未回収の状態となることを防止きるという効果が得られる。
【００２２】
請求項５記載の発明によれば、守秘ジョブの後に通常ジョブを実行することにより、守秘ジョブの印刷物が未回収の状態となることを防止できるという効果が得られる。
【００２３】
請求項６記載の発明によれば、守秘ジョブに白紙データを付加して実行することにより、守秘ジョブの印刷物を未回収の状態となることを防止できるという効果が得られる。
【００２４】
請求項７及び請求項８記載の発明によれば、守秘ジョブの印刷物が印刷物回収機で回収されるように連続用紙印刷装置を制御するので、機密情報を含む印刷物が未回収の状態となることを防止できるという効果が得られる。
【発明を実施するための最良の形態】
【００２５】
以下、図面を参照して本発明の実施の形態を説明する。図１には、本発明の第１の実施の形態に係る印刷制御装置１４を含む連続用紙印刷システム１０の概略構成が示されている。本実施の形態では、連続用紙印刷システム１０は、印刷装置１３を１台備えるシングル構成となっている。
【００２６】
連続用紙印刷システム１０は、連続用紙２０が装着された前処理装置１１と、緩衝装置１５Ａを介して供給される連続用紙２０に対して印刷する印刷装置１３と、緩衝装置１５Ｂを介して供給される印刷済みの連続用紙２０に後処理を行う後処理装置１２とを備えている。
【００２７】
前処理装置１１には、連続用紙２０が収納されている。連続用紙２０は、長尺状の用紙であり、芯棒（図示せず）に巻きつけられた状態で前処理装置１１に収納されている。前処理装置１１は、連続用紙２０をその長手方向へ搬送して印刷装置１３に供給する。
【００２８】
緩衝装置１５Ａでは、３本の巻き軸１６Ａ、１６Ｂ、１６Ｃに連続用紙２０が巻き掛けられている。そして、前処理装置１１から供給される連続用紙２０の搬送速度と印刷装置１３へ供給する連続用紙２０の搬送速度が異なると、巻き軸１６Ａと巻き軸１６Ｃの間にある巻き軸１６Ｂのみが上下に移動する。これにより、連続用紙２０の長手方向に作用する力が緩衝される。従って、緩衝装置１５Ａは、前処理装置１１と印刷装置１３間で搬送速度が異なっても、連続用紙２０が引っ張られて切れたり、或いは連続用紙２０が弛んで折れ曲がったりすることなく、前処理装置１１から供給される連続用紙２０を印刷装置１３へ供給する。
【００２９】
緩衝装置１５Ａの下流側には印刷装置１３が配置されている。印刷装置１３には、それぞれイエロー（Ｙ）、マゼンタ（Ｍ）、シアン（Ｃ）、ブラック（Ｋ）の各色のトナー像を連続用紙２０に順次転写し、重ね合わせるプリント部１７Ｙ、１７Ｍ、１７Ｃ、１７Ｋ（以下、「プリント部１７」という。）が搬送方向上流側から順に配置されている。このプリント部１７で連続用紙２０に転写されたトナー像は、プリント部１７の下流側に設けられた定着装置１８で赤外線を照射されて連続用紙２０に定着する。
【００３０】
印刷装置１３の下流側には、緩衝装置１５Ｂが配置されている。緩衝装置１５Ｂは、緩衝装置１５Ａと同様の役割を果たし、印刷装置１３と後処理装置１２間で搬送速度が異なっても、連続用紙２０が引っ張られて切れたり、或いは連続用紙２０が弛んで折れ曲がったりすることなく、印刷装置１３で印刷された連続用紙２０を後処理装置１２に供給する。
【００３１】
緩衝装置１５Ｂの下流側には、後処理装置１２が配置されている。後処理装置１２は、緩衝装置１５Ｂから供給された連続用紙２０を所定の長さ毎に裁断して印刷物を回収する。
【００３２】
また、印刷装置１３は、印刷制御装置１４を含んでいる。この印刷制御装置１４は、ＣＰＵ、ＲＯＭ、ＲＡＭを含み、ＲＯＭに記憶されているプログラムを実行することにより、印刷装置１３の印刷動作を制御する。
【００３３】
具体的には、印刷制御装置１４は、ネットワーク１９を介して接続されたクライアント装置（図示せず）から印刷ジョブを受信し、受信した印刷ジョブの印刷データからイメージデータを生成して印刷装置１３に供給すると共に、これらの印刷動作を制御する。
【００３４】
図２は、印刷制御装置１４の機能構成を示すブロック図である。同図を参照しながら、印刷制御装置１４の印刷制御処理について説明する。
【００３５】
印刷装置管理部３１は、印刷装置１３から送られる印刷装置１３のステータスやその他の情報を受け取り、印刷装置１３の状態を管理する。用紙残量、トナー残量、ドラム寿命などの消耗品の状態は、この印刷装置管理部３１によって把握される。把握された消耗品の状態情報は後述のジョブ管理部３２に通知される。ここで状態が把握される消耗品としては、上述の用紙、トナー、ドラムの他に、回収ボトル、現像剤、クリーナーブラッシュ、ブレード、転写クリーナ、脱煙フィルター、転写ローラ、オゾンフィルター、除電ＬＥＤ、前帯電器、前帯電器クリーナーパッド、フラッシュランプなどがある。
【００３６】
ジョブ管理部３２は、ネットワーク１９を介してクライアント装置（図示せず）から受信した印刷ジョブを管理する。具体的には、印刷ジョブのスケジューリング、保留、保留解除及び削除処理などを実施する。
【００３７】
例えば、印刷すべき守秘ジョブがＪ１からＪ３まで存在する場合において、ジョブ管理部３２は、印刷装置管理部３１から通知された印刷装置１３の消耗品の状態情報からＪ１とＪ３は印刷可能で、Ｊ１とＪ２、Ｊ２とＪ３は印刷不可と判断すると、Ｊ１とＪ３を選択して実行する。
【００３８】
また、ジョブ管理部３２は、印刷ジョブのデータ形式に応じたデータ変換をデータ変換部３４に通知する。
【００３９】
データ入力部３３は、クライアント装置（図示せず）から入力された印刷データを受け付けて、印刷データの入力処理を行う。
【００４０】
データ変換部３４は、ジョブ管理部３２より指定されたデータ変換を実行して、印刷データを中間コードに変換する。具体的には、ＰＳ／ＰＤＦ、ＬＣＤＳ及びＩＰＤＳのフォーマットで入力されてくるデータ形式を共通の中間コードへ変換する。
【００４１】
データ配置部３５は、データ変換部３４によって中間コードに変換された印刷データを、連続用紙２０上にどのように配置（面付け）するかを決める。例えば、表面に出力するか、裏面に出力するか、複数ページを１ページの連続用紙２０にどのように配置するかなどを管理する。
【００４２】
イメージデータ管理部３６は、データ配置部３５より面付けされた中間コードを受け取り、イメージデータに変換して印刷装置１３へ転送する。また、イメージデータ管理部３６は、イメージデータを記憶部３８に一時格納する機能も有する。また、イメージデータ管理部３６は、現時点での各消耗品の状態情報を印刷装置管理部３１より受け取り、守秘ジョブ印刷時の消耗品の残量と使用量とを比較する。更に、イメージデータ管理部３６は、印刷ジョブが守秘ジョブか否かも判断する。
【００４３】
次に、本実施の形態における連続用紙印刷システム１０の制御ルーチンを、図３に示したフローチャートに沿って説明する。この制御ルーチンは、上述のように図１に示す印刷装置１３の印刷制御装置１４に含まれるＲＯＭに記憶され、ＣＰＵによって実行される。そして、図２に示す印刷制御装置１４の各構成部が以下のステップに従って処理を実行する。
【００４４】
先ず、ステップ１００において、データ入力部３３がネットワーク１９を介してクライアント装置から印刷すべき指定ジョブを受け付けた後、ステップ１１０に進む。
【００４５】
ステップ１１０では、イメージデータ管理部３６が、指定ジョブが機密情報を含む守秘ジョブか機密情報を含まない通常ジョブかを判定する。例えば、指定ジョブにパスワードが設定されているかとき、或いはデータが暗号化されているときに、守秘ジョブと判定される。指定ジョブが守秘ジョブの場合にはステップ１１０に進み、通常ジョブの場合にはステップ２００に進む。
【００４６】
ステップ１２０では、イメージデータ管理部３６が、指定ジョブの印刷データを印刷した場合の印刷装置１３の消耗品の使用量を算出する。ここでは、データ入力部３３が受け付けた指定ジョブの印刷データをデータ変換部が中間コードに変換する。そして、イメージデータ管理部３６が、データ配置部３５によって面付けされたイメージデータを記憶部３８に展開し、このイメージデータに基づいて印刷装置１３の消耗品の使用量を算出する。
【００４７】
ステップ１３０では、印刷装置管理部３１が、指定ジョブの印刷前における印刷装置１３の消耗品の残量を検出する。検出された消耗品の残量情報は、印刷装置管理部３１からイメージデータ管理部３６へ送られる。
【００４８】
ステップ１４０では、イメージデータ管理部３６が、ステップ１２０で算出した消耗品の使用量と、ステップ１３０で印刷装置管理部３１から受け取った消耗品の残量とを比較する。
【００４９】
ステップ１５０では、イメージデータ管理部３６が、ステップ１４０での比較結果から指定ジョブを最後まで印刷可能か否かを判定する。印刷可能な場合にはステップ１６０に進んで守秘ジョブの印刷処理を行い、印刷不可能な場合にはステップ１７０に進む。
【００５０】
ステップ１７０では、イメージデータ管理部３６が、ステップ１４０での比較結果から指定ジョブの途中まで印刷可能か否かを判定する。途中まで印刷可能な場合にはステップ１８０に進み、印刷不可能な場合にはステップ１９０に進んで印刷が不可能であることを使用者に報知する。この報知は、例えば、使用者が操作しているクライアント装置の画面にメッセージを表示することによって行う。
【００５１】
ステップ１８０では、指定ジョブの印刷可能な部分までを１ジョブとすると共に、印刷できない残りの部分の情報を報知する。この報知も、ステップ１９０と同様に、使用者が操作しているクライアント装置の画面にメッセージを表示することによって行う。その後、ステップ１６０に進み、守秘ジョブである指定ジョブの印刷可能な部分の印刷処理を行う。
【００５２】
また、ステップ２００では、指定ジョブが通常ジョブなので、すぐには印刷処理を行わず、イメージデータ管理部３６が指定ジョブを記憶部３８へ登録する。
【００５３】
ステップ２１０では、ジョブ管理部３２が、既存の守秘ジョブの有無を判定する。既存の守秘ジョブがない場合には、ステップ２３０に進み、イメージデータ管理部３６が、通常ジョブである指定ジョブを印刷装置１３に転送して印刷処理を行う。また、既存の守秘ジョブがある場合には、ステップ２２０に進む。ここではジョブ管理部３２が、通常ジョブである指定ジョブを、既存の守秘ジョブが後処理装置１２で回収されるまで押し出すためのジョブとして保留する。
【００５４】
そして、ステップ１６０、ステップ１９０、ステップ２２０、ステップ２３０のそれぞれの処理が終了すると、ステップ１００へ戻る。そして、データ入力部３３が、次の指定ジョブを受け付けて、以上の処理を繰り返す。
【００５５】
次に、図３のステップ１６０の守秘ジョブの印刷処理における詳細な制御ルーチンを、図４に示したフローチャートに沿って説明する。
【００５６】
ステップ３００では、ジョブ管理部３２が、保留された通常ジョブの有無を判定する。通常ジョブがある場合にはステップ３１０に進み、通常ジョブがない場合にはステップ３４０に進む。
【００５７】
ステップ３１０では、イメージデータ管理部３６が、守秘ジョブを後処理装置１２まで押し出せる量の通常ジョブを探索し、ステップ３２０で該当ジョブの有無を判定する。該当ジョブがある場合にはステップ３３０に進み、該当ジョブがない場合にはステップ３４０に進む。
【００５８】
ステップ３３０では、イメージデータ管理部３６が、守秘ジョブの後に該当する通常ジョブを続けて印刷装置１３に転送する。これによって守秘ジョブの印刷物が後処理装置１２に回収される。
【００５９】
ステップ３４０では、イメージデータ管理部３６が、守秘ジョブに該守秘ジョブを後処理装置１２まで押し出せる量の白紙データを付加したものを１ジョブとして印刷装置１３に転送する。これによって守秘ジョブの印刷物が後処理装置１２に回収される。
【００６０】
以上のように、本実施の形態の連続用紙印刷システム１０は、消耗品切れのために印刷装置１３が守秘ジョブの実行途中で停止することを防止することができる。また、連続用紙印刷システム１０は、後続ジョブがない場合であっても、守秘ジョブの印刷物が印刷装置１３と後処理装置１２との間で停止することなく、守秘ジョブの印刷物を後処理装置１２に回収させることができる。
【００６１】
また、図５には、本発明の第２の実施の形態に係る連続用紙印刷システム１０の概略構成が示されている。この実施の形態では、連続用紙印刷システム１０は、用紙搬送方向（矢印Ａ）の上流側に印刷装置１３Ａと下流側の印刷装置１３Ｂとを備える重連構成となっている。このような重連構成の連続用紙印刷システム１０では、例えば、印刷装置１３Ａが連続用紙２０の表面に印刷した後、印刷装置１３Ｂが裏面に印刷する。
【００６２】
本実施の形態では、印刷装置１３Ａ、１３Ｂが２台あるため、それぞれの印刷制御装置１４Ａ及び１４Ｂがネットワーク１９を通じて同期をとりながら印刷処理を行う。また、図３及び図４のフローチャートで示されるジョブの制御処理は、印刷装置１３Ａの印刷制御装置１４Ａが行う。
【００６３】
このような重連構成の場合、後続ジョブがない場合には、印刷装置１３Ａは、印刷ジョブの最後の印刷データに転写されたトナー像が連続用紙２０に定着された時点で停止する。このため、印刷装置１３Ａの定着装置１８から後処理装置１２までの間で印刷物が未回収のまま晒される状態となる。
【００６４】
このように、第１の実施の形態に比べて連続用紙２０の搬送経路が長くなるため、守秘ジョブの印刷物が後処理装置１２に回収されるまでの間で晒される状態となる可能性が高くなる。そこで、本実施の形態の場合、印刷制御装置１４Ａは、印刷装置１３Ａ緩衝装置１５Ｂ、印刷装置１３Ｂを１つの印刷装置とみなして、図３及び図４に示した処理を実行する。これにより、本実施の形態の連続用紙印刷システム１０は、消耗品切れのために印刷装置１３Ａ及び印刷装置１３Ｂが守秘ジョブの実行途中で停止することを防止することができる。また、連続用紙印刷システム１０は、後続ジョブがない場合であっても、守秘ジョブの印刷物が印刷装置１３Ａと後処理装置１２との間で停止することなく、守秘ジョブの印刷物を後処理装置１２に回収させることができる。
【図面の簡単な説明】
【００６５】
【図１】本発明の第１の実施の形態に係る連続用紙印刷システム（シングル構成）の概略構成図である。
【図２】印刷制御装置の機能構成を示すブロック図である。
【図３】本発明に係る印刷制御装置の制御の流れを示すフローチャートである。
【図４】本発明に係る印刷制御装置による印刷処理の制御の流れを示すフローチャートである。
【図５】本発明の第２の実施の形態に係る連続用紙印刷システム（重連構成）の概略構成図である。
【符号の説明】
【００６６】
１０    連続用紙印刷システム
１３    印刷装置
１４    印刷制御装置
３１    印刷装置管理部
３２    ジョブ管理部
３３    データ入力部
３４    データ変換部
３５    データ配置部
３６    イメージデータ管理部
３８    記憶部
【図１】
2008114489.tif 000003
【図２】
2008114489.tif 000004
【図３】
2008114489.tif 000005
【図４】
2008114489.tif 000006
【図５】
2008114489.tif 000007